(57)【要約】【課題】係合孔に対する係合爪の係脱を容易にしてケースへのカバーの装着を容易にすると共に、係合部、特に係合片および係合孔にかかる応力を緩和してクラックの発生を防止した、収納容器及び電子機器を提供する。【解決手段】ケース３と、ケース３に装着されるカバー４と、を備えた収納容器５である。ケース３には、その側板９に複数の係合孔１１が形成されている。カバー４は、ケース３の開口を覆うカバー本体１４と、カバー本体１４の外周部からケース３の側板９側に延出する複数の係合片１２とを備えて形成されている。係合片１２の先端部には、係合孔１１に係脱可能に係合する係合爪１３が設けられている。カバー本体１４には、係合片１２の基端より内側で基端の近傍部に、この近傍部に連続する部位より厚さが薄い薄肉部１７が形成されている。【選択図】図４
2014093310.tif 000002
【特許請求の範囲】
【請求項１】
ケースと、前記ケースに装着されるカバーと、を備えた収納容器において、
前記ケースには、その側板に複数の係合孔が形成され、
前記カバーは、前記ケースの開口を覆うカバー本体と、該カバー本体の外周部から前記ケースの側板側に延出する複数の係合片とを備えて形成され、
前記係合片の先端部には、前記係合孔に係脱可能に係合する係合爪が設けられ、
前記カバー本体には、前記係合片の基端より内側で該基端の近傍部に、該カバー本体における前記近傍部に連続する部位より厚さが薄い薄肉部が形成されていることを特徴とする収納容器。
【請求項２】
前記係合片は、前記カバー本体側から前記係合爪に向かうに連れて厚さが漸次薄くなるように形成されていることを特徴とする請求項１記載の収納容器。
【請求項３】
前記係合片の先端には、前記係合孔に前記係合爪が係合した際、前記係合孔の、前記カバー本体と反対の側の開口を覆う突起部が設けられていることを特徴とする請求項１又は２に記載の収納容器。
【請求項４】
前記係合爪の、前記係合孔に係合した際に該係合孔の孔側係合面に係合する爪側係合面は、前記係合片の基端側に向くように前記カバー本体と平行な面より内側に傾斜して形成され、
前記孔側係合面は、前記爪側係合面に対向するように、前記側板の外側に傾斜して形成されていることを特徴とする請求項１から３のいずれか一項に記載の収納容器。
【請求項５】
電子部品が実装された基板と、前記基板を収納保持する収納容器と、を備えた電子装置において、
前記収納容器は、請求項１〜４のいずれか一項に記載の収納容器によって構成されていることを特徴とする電子装置。
【発明の詳細な説明】
【技術分野】
【０００１】
本発明は、収納容器及び電子装置に関する。
【背景技術】
【０００２】
一般に電子装置は、これを構成する電子部品や電子回路などの一部あるいは全部が組み込まれたプリント回路基板を備えて構成されている。プリント回路基板は、電子部品や電子回路などに異物が付着しないように、また、使用者が容易に触れることができないように、収納容器に収納されている。
【０００３】
収納容器は、完成された構成体をケース内に確実に収納する必要上、ケースの開口を覆ってカバーが被着される構造となっている。このような収納容器では、カバーが不測に開くことが防止されていると共に、所定の操作が行われた際には容易に開くように構成されていることが好ましい。
このような背景のもとに従来では、例えば特許文献１に開示されているように、ケースにカバーを被せた際、これらに設けられた係合部が互いに係合する構造が採用されており、これら係合部を解除することによってカバーが容易に開くようになっている。
【０００４】
すなわち、特許文献１の合成樹脂製容器では、電子機器を収納する収納ケースに、その後部壁に位置決め用係止爪を設け、前部壁に解除用孔を設け、側部壁に案内用係止爪を設けている。また、ケースカバーに、その後部壁に位置決め用係止孔を設け、前部壁に解除用爪を設け、側部壁に案内用係止孔を設けている。そして、これらをそれぞれ係脱自在に構成している。すなわち、位置決め用係止爪と位置決め用係止孔との係合でケースカバーを収納ケースに対して回動自在とし、開閉可能としている。また、案内用係止爪と案内用係止孔とをケースカバーの回動を許容する形状としている。さらに、解除用爪と解除用孔との係合を、収納ケースの外部から解除可能としている。
【先行技術文献】
【特許文献】
【０００５】
【特許文献１】特開２０００−３１６６１号公報
【発明の概要】
【発明が解決しようとする課題】
【０００６】
ところで、前記特許文献１に記載された構造では、ケース（収納ケース）に設けた解除用孔（係止孔）に対してカバー（ケースカバー）に設けた解除用爪（係止爪）をそれぞれ係脱自在に構成しているが、解除用孔に対して解除用爪を係脱しやすいように、すなわち解除用爪を形成した部位をより撓ませ易くするために、解除用爪を形成する係止舌片の一部を、他部より肉厚が薄くなるように形成している。
また、解除用孔を形成する壁部も解除用爪を係脱しやすいように一部が薄くなっている。
しかしながら、このような構成では、係脱時に解除用孔と解除用爪とに応力がかかるため、薄くなって撓み易くなっている部分に応力が集中し、結果としてこの肉厚が薄い部位にクラックが生じ易くなっている。
【０００７】
本発明は前記事情に鑑みてなされたもので、その目的とするところは、係合孔に対する係合爪の係脱を容易にしてケースへのカバーの装着を容易にすると共に、係合部、特に係合片および係合孔にかかる応力を緩和してクラックの発生を防止した、収納容器及び電子機器を提供することにある。
【課題を解決するための手段】
【０００８】
本発明の収納容器は、ケースと、前記ケースに装着されるカバーと、を備えた収納容器において、
前記ケースには、その側板に複数の係合孔が形成され、
前記カバーは、前記ケースの開口を覆うカバー本体と、該カバー本体の外周部から前記ケースの側板側に延出する複数の係合片とを備えて形成され、
前記係合片の先端部には、前記係合孔に係脱可能に係合する係合爪が設けられ、
前記カバー本体には、前記係合片の基端より内側で該基端の近傍部に、該カバー本体における前記近傍部に連続する部位より厚さが薄い薄肉部が形成されていることを特徴とする。
【０００９】
また、前記収納容器において、前記係合片は、前記カバー本体側から前記係合爪に向かうに連れて厚さが漸次薄くなるように形成されていることが好ましい。
【００１０】
また、前記収納容器において、前記係合片の先端には、前記係合孔に前記係合爪が係合した際、前記係合孔の、前記カバー本体と反対の側の開口を覆う突起部が設けられていることが好ましい。
【００１１】
また、前記収納容器において、前記係合爪の、前記係合孔に係合した際に該係合孔の孔側係合面に係合する爪側係合面は、前記係合片の基端側に向くように前記カバー本体と平行な面より内側に傾斜して形成され、前記孔側係合面は、前記爪側係合面に対向するように、前記側板の外側に傾斜して形成されていることが好ましい。
【００１２】
本発明の電子装置は、電子部品が実装された基板と、前記基板を収納保持する収納容器と、を備えた電子装置において、
収納容器は、前記した収納容器によって構成されていることを特徴とする。
【発明の効果】
【００１３】
本発明によれば、カバー本体の、係合片の基端より内側で該基端の近傍部に、該カバー本体における前記近傍部に連続する部位より厚さが薄い薄肉部を形成しているので、カバーをケースに装着して係合爪を係合孔に係合させる際、あるいはカバーをケースから外すべく係合爪を係合孔から外す（脱着する）際、前記薄肉部によって係合片を容易に撓ませることができる。したがって、係合孔に対する係合爪の係脱を容易に行うことができる。
また、カバー本体に薄肉部を形成することで係合孔に対する係合爪の係脱を容易にしているので、係合片に薄肉部を形成する必要が無くなり、したがって係合片にかかる応力を緩和して係合片にクラックが発生するのを防止することができる。同様に係合孔にかかる応力も緩和されるため、係合孔にクラックが発生するのを防止することができる。
さらに、カバー本体にはその一部に、すなわち前記近傍部に薄肉部を形成しているので、カバー本体全体の強度を低下させることがほとんどなく、したがってカバー本体にクラックが発生するのを防止することができる。
【図面の簡単な説明】
【００１４】
【図１】本発明に係る電子装置の一実施形態の外観を示す斜視図である。
【図２】（ａ）はカバーの内面側を示す斜視図、（ｂ）はカバーの内面側を示す平面図である。
【図３】（ａ）〜（ｃ）は、ケースへのカバーの装着を説明するための図であって、図１のＡ−Ａ線矢視断面図である。
【図４】電子装置の要部側断面図である。
【発明を実施するための形態】
【００１５】
以下、図面を参照して、本発明に係る収納容器及び電子装置について説明する。なお、以下の図面においては、各部材を認識可能な大きさとするために、各部材の縮尺を適宜変更している。
図１は、本発明に係る電子装置の一実施形態の外観を示す斜視図、図２（ａ）、（ｂ）は、カバーの内面側を示す図、図３（ａ）〜（ｃ）は、ケースへのカバーの装着を説明するための電子装置の側断面図（図１のＡ−Ａ線矢視断面図）、図４は、電子装置の要部側断面図である。
これらの図において符号１は、自動車用の電子制御装置（ＥＣＵ：Electronic Control Unit）である。
【００１６】
この電子制御装置（電子装置）１は、例えば図示しない電池収納箱（電池ボックス）に取り付けられ、コネクタ配線ケーブル（図示せず）によって電池収納箱内の電池や上位機種の電子制御装置に接続されるようになっている。または、車体（車体フレーム）に直接取り付けられ、コネクタ配線ケーブルによって電気的に接続されるようになっていてもよい。
【００１７】
図１、図３（ａ）〜（ｃ）に示すように電子制御装置１は、回路基板（基板）２を収納保持する樹脂製のケース３と、該ケース３に装着される樹脂製のカバー４とを備えて構成されている。なお、ケース３とカバー４とにより、本発明の一実施形態となる収納容器５が形成される。
【００１８】
図３（ａ）〜（ｃ）に示すように回路基板２は、内層を含む各面に配線パターンを形成したプリント基板であって、電子部品実装側に各種の電子部品６を実装するとともに、該電子部品実装側の前方にコネクタを３つ実装している。図１に示すようにこれらコネクタ７は、ケース３とカバー４との間に形成されたコネクタ用開口部内に配置され、ネジ止めによって回路基板２に固定されている。
【００１９】
ケース３は、ＰＢＴ等の樹脂からなる略矩形で有底の箱状のもので、底板の外周部から立ち上がる側板９の内側（内部）に、回路基板２を収納保持する収納部（図示せず）を有したものである。すなわち、図３（ａ）〜（ｃ）、図４に示すように側板９の中央部内側に段部１０形成し、この段部１０上に回路基板２を保持固定したものである。なお、このケース３には、図１に示すようにその側板９にコネクタ７用の開口（図示せず）が、３つのコネクタ７に対応して３つ形成されている。
【００２０】
また、ケース３には、その側板９に、細長い矩形状の係合孔１１が複数形成されている。これら係合孔１１は、その短辺が側板９の高さ方向に沿うように配置されたもので、図３（ａ）〜（ｃ）、図４に示すように側板９の上端側、すなわち前記段部１０より上側（側板９によって形成される開口側）に配設されている。ここで、これら係合孔１１を形成する側板９は、前記段部１０より上側の厚さ（肉厚）が下側の厚さより薄く形成されている。また、側板９は、係合孔１１より上側（開口側）の内面が、開口側に行くに連れて外側に傾斜する傾斜面９ａとなっている。これにより、ケース３にカバー４を装着する際、側板９は後述する係合爪１３を受け入れ易くなっている。
【００２１】
係合孔１１は、後述するカバー４の係合片１２の係合爪１３に係脱可能に係合するもので、その上側（側板９によって形成される開口側）の面、すなわち孔側係合面１１ａが、側板９の外側（外面側）に向くように所定の角度で傾斜して形成されている。
【００２２】
カバー４は、図１に示すようにケース３の平面視形状に対応した略矩形板状のもので、ＰＰ（ポリプロピレン）等の樹脂からなるものであり、該ケース３の開口を閉塞するように形成されたものである。すなわち、このカバー４は、図２（ａ）、（ｂ）に示すように前記ケース３の開口を覆うカバー本体１４と、該カバー本体１４の外周部から前記ケース３の側板９側に延出する複数の係合片１２、及び側板部１５を備えて形成されている。
【００２３】
側板部１５は、その外面がケース３の内面に当接することで、カバー４をケース３に嵌合させるようになっている。
係合片１２は、本実施形態ではカバー本体１４の外周縁から延出して形成されたもので、カバー本体１４の周方向に複数（本実施形態では５つ）形成されている。これら係合片１２は、互いに適宜な間隔をおいて独立して形成されている。
【００２４】
このような係合片１２には、図４に示すようにその先端部に、前記係合孔１１に係脱可能に係合する係合爪１３が形成されている。係合爪１３は、係合片１２の基端側に対して外側に折曲したもので、側断面が三角形状、すなわち先端が尖った楔状に形成されたものである。この係合爪１３は、そのカバー本体１４側を向く面が、前記係合孔１１の孔側係合面１１ａに係合する爪側係合面１３ａとなっている。
【００２５】
この爪側係合面１３ａは、係合片１２の基端側に向くように、カバー本体１４の外面（上面）と平行な面より内側に所定の角度で傾斜して形成されている。このような構成のもとに係合爪１３は、係合孔１１に入り込んでその爪側係合面１３ａが孔側係合面１１ａに係合すると、例えば側板９に衝撃や振動等による不測の外力が働いても、係合孔１１から簡単に外れないようになっている。すなわち、係合爪１３は、係合孔１１と強固に係合するようになっている。
【００２６】
また、係合片１２の先端、すなわち係合爪１３の、爪側係合面１３ａと反対の側の面側には、カバー本体１４と反対の側に延出する突起部１６が形成されている。この突起部１６は、係合孔１１に係合爪１３が係合した際、係合孔１１の、カバー本体１４側と反対の側の開口を覆ってこれを閉塞するように形成されている。すなわち、突起部１６は係合孔１１の下側（底板８側）の開口縁部に当接することにより、係合孔１１の下側を覆うように構成されている。このような構成によって係合片１２は、係合孔１１を覆ってこれを閉塞することで、外から中に異物が流入するのを防止する防塵機能を有している。
【００２７】
また、突起部１６は、係合片１２の先端（爪側係合面１３ａと反対の側の面）の、内側にのみ形成されており、したがってその外側には平坦部１９が形成されている。この平坦部１９は、後述するようにカバー４をケース３の開口内に押し込んだ際、カバー４がケース３内に過剰に入り込むのを防止するストッパーとして機能するようになっている。
また、係合片１２は、カバー本体１４側から係合爪１３に向かうに連れてその厚さｔが、漸次薄くなるように形成されている。これにより、係合片１２はその先端側、すなわち係合爪１３側がより撓み易く（弾性変形し易く）なっており、後述するようにカバー４をケース３に装着し、あるいは外す際に、係合孔１１に対して係合爪１３を係脱し易くなっている。
【００２８】
また、カバー本体１４には、図２（ａ）、（ｂ）、図４に示すようにその内面に肉厚が薄い薄肉部１７が形成されている。薄肉部１７は、係合片１２の基端、すなわち該係合片１２の形成箇所よりカバー本体１４の内側で、該基端の近傍部に略矩形状に形成されている。この薄肉部１７は、これが形成された前記基端の近傍部に連続する部位、本実施形態ではカバー本体１４における薄肉部１７以外の全域より厚さが薄く形成されており、例えば薄肉部１７以外の全域の厚さの、５０％〜８０％程度の厚さに形成されている。また、図２（ａ）、（ｂ）に示すように前記係合片１２の幅Ｗ１は、矩形状に形成された薄肉部１７の長辺の長さ（幅）Ｗ２のほぼ半分、すなわち２Ｗ１≒Ｗ２となるように形成されている。また、係合片１２の高さＨは、薄肉部１７の短辺の長さ（幅）Ｄのほぼ半分、すなわち２Ｈ≒Ｄとなるように形成されている。このように係合片１２の基端より内側で該基端の近傍部に薄肉部１７を形成しているので、係合片１２は薄肉部１７側、またはその反対側に弾性変形し易くなっている。すなわち、撓ませ易くなっている。
【００２９】
このような構成の電子装置１において、例えばその組立時にケース３に対してカバー４を装着するには、まず、図３（ａ）に示すようにケース３の開口に対向させ、かつ各係合片１２を対応する係合孔１１の上方に位置させて、カバー４を配置する。
次に、図３（ｂ）に示すようにカバー４の側板部（図示せず）や係合片１２をケース３の開口内に嵌め込み、係合片１２の係合爪１３をケース３の側板９の内面（傾斜面９ａ）に摺動させる。このようにして係合片１２をケース３の開口内に嵌め込むと、係合爪１３がケース３の側板９の内面に相対的に押圧されることにより、係合片１２は弾性変形して係合爪１３側が内側に倒れる（撓む）。その際、前記したように係合片１２の基端より内側で近傍部に薄肉部１７が形成されているので、係合片１２は薄肉部１７側に容易に倒れる（撓む）。したがって、係合片１２には過剰な応力がかかることなく、また、側板９にも過剰な応力がかからないようになる。
【００３０】
続いて、図３（ｃ）に示すようにカバー４をケース３の開口内に押し込む。すると、係合片１２の先端側の係合爪１３が係合孔１１内に入り込むことにより、係合片１２への相対的な押圧が解除され、係合片１２は係合爪１３側が外側に向かって弾性復帰し、初期状態に戻る。このとき、カバー４をケース３の開口内に押し込み過ぎても、図４中二点鎖線で示すように係合片１２の平坦部１９が係合孔１１の下側の面に当接してこれに干渉されるため、それ以上カバー４がケース３内に入り込むことが防止される。したがって、カバー４がケース３内に過剰に入り込んで回路基板２と干渉しないようになっている。
【００３１】
また、回路基板２のメンテナンスなどで収納容器５を開く際には、図３（ｃ）に示した状態から係合孔１１に対する係合爪１３の係合を解除すべく、例えば各係合爪１３を側板９側から押圧する。すると、前記したように薄肉部１７を形成したことで係合片１２が薄肉部１７側に容易に倒れる（撓む）ようになっているため、係合片１２は弾性変形して図３（ｂ）に示すように係合爪１３から係合孔１１から外れる（脱着する）。したがって、その状態からカバー４を持ち上げることで、ケース３を開口することができる。すなわち、収納容器５を開くことができる。
【００３２】
本実施形態の収納容器５（電子装置１）にあっては、カバー本体１４の、係合片１２の基端より内側で該基端の近傍部に、該カバー本体１４における前記近傍部に連続する部位より厚さが薄い薄肉部１７を形成しているので、カバー４をケース３に装着して係合爪１３を係合孔１１に係合させる際、あるいはカバー４をケース３から外すべく係合爪１３を係合孔１１から外す（脱着する）際、前記薄肉部１７によって係合片１２を薄肉部１７側に容易に撓ませることができる。したがって、係合孔１１に対する係合爪１３の係脱を容易に行うことができる。
【００３３】
また、カバー本体１４に薄肉部１７を形成することで係合孔１１に対する係合爪１３の係脱を容易にしているので、係合片１２に薄肉部を形成する必要が無くなり、したがって係合片１２にかかる応力を緩和して係合片１２にクラックが発生するのを防止することができる。同様に係合孔１１にかかる応力も緩和されるため、係合孔１１にクラックが発生するのを防止することができる。
【００３４】
また、係合片１２にかかる応力も緩和するためには、係合片１２の高さＨを高く（長く）することが考えられる。すなわち、係合片１２の高さＨを高くするほど、係合片１２を撓ませる力を小さくすることができる。ところが、係合片１２の高さＨを高くすると、これが回路基板２に干渉しないようにするため、例えば該回路基板２に切欠を形成する必要が生じる。しかし、このように切欠を形成するのでは回路基板２の実装面積が小さくなってしまうため、好ましくない。そこで、本実施形態では、薄肉部１７を形成することで係合片１２の高さＨを低く（短く）しているにもかかわらずこれを撓ませる力を小さくし、係合片１２や係合孔１１にかかる応力を緩和している。したがって、回路基板２の実装面積を小さくすることなく、係合片１２の高さＨを低くしているので、収納容器５の小型化にも寄与することができる。
【００３５】
さらに、カバー本体１４にはその一部に、すなわち前記近傍部に薄肉部１７を形成しているので、カバー本体１４全体の強度を低下させることがほとんどなく、したがってカバー本体１４にクラックや割れが発生するのを防止することができる。
【００３６】
また、本実施形態では、係合片１２を、カバー本体１４側から係合爪１３に向かうに連れてその厚さｔが漸次薄くなるように形成しているので、その先端側、すなわち係合爪１３側をより撓み易く（弾性変形し易く）することができる。よって、係合孔１１に対して係合爪１３を係脱し易くすることができる。
【００３７】
また、本実施形態では、係合片１２の先端に突起部１６を設けているので、係合爪１３が係合孔１１に係合した際、図４に示したように突起部１６が係合孔１１の下側（底板８側）の開口縁に当接することにより、該係合孔１１の下側を覆うようになる。したがって、このような突起部１６によって係合片１２が係合孔１１を閉塞するため、係合片１２は外から中に異物が流入するのを防止する防塵機能を発揮するようになる。
【００３８】
また、本実施形態では、係合孔１１の孔側係合面１１ａと係合爪１３の爪側係合面１３ａとを、互いに対向させつつそれぞれ傾斜させて形成しているので、係合状態がより強くなり、例えば側板９に衝撃や振動等による不測の外力が働いても、係合孔１１から係合爪１３が簡単に外れないようになる。
【００３９】
なお、本発明は前記実施形態に限定されることなく、本発明の主旨を逸脱しない範囲で種々の変更が可能である。
例えば、前記実施形態では係合片１２をカバー本体１４の外周縁から延出して形成したが、外周縁よりやや内側から、側板９側に延出して形成されていてもよい。すなわち、図４中二点鎖線で示すように、カバー本体１４の外周縁部１８の内側にカバー本体１４が形成され、外周縁部１８が側板９の端面を覆うように形成されていてもよい。このようにカバー本体１４の外周縁よりやや内側も、本発明における「外周部」の範囲内とする。
【００４０】
また、前記実施形態では、薄肉部１７はカバー本体１４における薄肉部１７以外の全域、すなわち薄肉部１７が形成された、係合片１２の基端より内側で近傍部以外の全域より、厚さを薄く形成しているが、薄肉部１７が形成された前記基端の近傍部に連続する部位以外の箇所、例えばカバー本体１４の中央部に、薄肉部１７と同じ厚さ、あるいはこれより厚さが薄い箇所があってもよい。その場合にも、薄肉部１７によって係合片１２が撓み易くなるため、本発明の作用効果が得られる。
【００４１】
また、前記実施形態では、本発明の収納容器を電子装置に適用した場合について説明したが、本発明の収納容器は、電子装置以外の種々の装置や機器などに適用することができる。
さらに、前記実施形態では、本発明の電子装置を自動車用の電子制御装置に適用したが、本発明の電子装置は、収納容器を備えるものであれば、他の全ての電子装置に適用可能である。
【符号の説明】
【００４２】
１…電子制御装置（電子装置）、２…回路基板（基板）、３…ケース、４…カバー、５…収納容器、６…電子部品、９…側板、１１…係合孔、１１ａ…孔側係合面、１２…係合片、１３…係合爪、１３ａ…爪側係合面、１４…カバー本体、１６…突起部、１７…薄肉部
【図１】
2014093310.tif 000003
【図２】
2014093310.tif 000004
【図３】
2014093310.tif 000005
【図４】
2014093310.tif 000006